(57)【要約】  受信装置において、チャンネル数の増加に対して、消費電力の増大を防ぎつつ、受信性能の劣化を防止する。  複数の入力端子は、１つのアンテナからの高周波信号を別々に受ける。複数の高周波回路は、複数の入力端子の各々に対応して設けられて、１つのアンテナからの高周波信号を互いに異なる周波数帯域において扱う。局部発振信号生成回路は、複数の高周波回路の各々の周波数帯域に対応した局部発振周波数を生成する。複数の混合回路は、複数の高周波回路の各々からの高周波信号とそれに対応する局部発振周波数とを混合してそれぞれ低周波信号を生成する。合流回路は、複数の混合回路において生成された低周波信号を合流させて出力する。
2018037687.tif 000002
【特許請求の範囲】
【請求項１】
１つのアンテナからの高周波信号を別々に受ける複数の入力端子と、
前記複数の入力端子の各々に対応して設けられて前記１つのアンテナからの高周波信号を互いに異なる周波数帯域において扱う複数の高周波回路と、
前記複数の高周波回路の各々の前記周波数帯域に対応した局部発振周波数を生成する局部発振信号生成回路と、
前記複数の高周波回路の各々からの前記高周波信号とそれに対応する前記局部発振周波数とを混合してそれぞれ低周波信号を生成する複数の混合回路と、
前記複数の混合回路において生成された低周波信号を合流させて出力する合流回路と
を具備する受信装置。
【請求項２】
周波数帯域の指示入力を受けて前記複数の高周波回路および前記複数の混合回路のうち前記指示入力に係る周波数帯域に適合するもののみを動作させる制御部をさらに具備する請求項１記載の受信装置。
【請求項３】
前記複数の入力端子は、それぞれの周波数帯域に応じたフィルタ処理が施された前記高周波信号を受ける請求項１記載の受信装置。
【請求項４】
前記複数の高周波回路は、テレビ放送の高周波信号を扱う請求項１記載の受信装置。
【請求項５】
前記複数の高周波回路は、衛星放送の高周波信号を扱う請求項１記載の受信装置。
【請求項６】
地上波放送を受信する他のアンテナからの高周波信号を受ける他の入力端子と、
前記他の入力端子からの周波数帯域において前記他のアンテナからの地上波放送の高周波信号を扱う他の高周波回路とをさらに具備し、
前記複数の混合回路の一つは、前記他の高周波回路からの高周波信号をさらに混合して低周波信号を生成する
請求項５記載の受信装置。
【請求項７】
１つのアンテナと、
前記１つのアンテナからの高周波信号を互いに異なる周波数帯域において扱う複数の高周波回路と、
前記複数の高周波回路の各々の前記周波数帯域に対応した局部発振周波数を生成する局部発振信号生成回路と、
前記複数の高周波回路の各々からの前記高周波信号とそれに対応する前記局部発振周波数とを混合してそれぞれ低周波信号を生成する複数の混合回路と、
前記複数の混合回路において生成された低周波信号を合流させて出力する合流回路と
を具備する受信システム。
【請求項８】
周波数帯域の指示入力を受けて前記複数の高周波回路および前記複数の混合回路のうち前記指示入力に係る周波数帯域に適合するもののみを動作させる制御部をさらに具備する請求項７記載の受信システム。
【請求項９】
前記１つのアンテナからの高周波信号に対してそれぞれの周波数帯域に応じたフィルタ処理を施す複数のフィルタをさらに具備し、
前記複数の高周波回路の各々は、前記複数のフィルタの出力を前記１つのアンテナからの高周波信号として扱う
請求項７記載の受信システム。
【請求項１０】
前記複数の高周波回路は、テレビ放送の高周波信号を扱う請求項７記載の受信システム。
【請求項１１】
前記１つのアンテナは、衛星放送を受信するためのアンテナであり、
前記複数の高周波回路は、衛星放送の異なる周波数帯域の高周波信号を扱う
請求項７記載の受信システム。
【請求項１２】
地上波放送を受信するための他のアンテナと、
前記他のアンテナからの地上波放送の高周波信号を扱う他の高周波回路とをさらに具備し、
前記複数の混合回路の一つは、前記他の高周波回路からの高周波信号をさらに混合して低周波信号を生成する
請求項１１記載の受信システム。
【発明の詳細な説明】
【技術分野】
【０００１】
本技術は、無線通信や放送の受信装置に関する。詳しくは、比較的広い周波数帯域において複数チャンネルの放送がなされる衛星放送の受信装置および受信システムに関する。
【背景技術】
【０００２】
テレビ放送のデータ量の増大や多様化などの要求に対して、放送チャンネルの拡張が必須となっている。特に、日本においては、４Ｋ放送や８Ｋ放送を行うために、信号フォーマットの拡張やチャンネル数の増加などの衛星放送の高度化が進められている。これにより、受信モジュールの入力周波数帯域が拡張され、多チャンネル化がなされる方向にある。また、４Ｋ放送や８Ｋ放送を行うためにはデータ転送レートを高める必要があるため、従来の８ＰＳＫに留まらず、１６ＡＰＳＫや３２ＡＰＳＫ等の変調方式を用いられる。そのため、受信装置におけるＳＮＲは従来以上に高いものが要求される。すなわち、受信性能の劣化が許容できない状況になる。【０００３】
一般的な受信モジュールにおいては、アンテナからの入力信号を高周波回路（ＲＦ（Radio Frequency）回路）で増幅して、混合回路（ＭＩＸ回路）に入力する。一方、受信チャンネルの信号周波数に応じて、受信モジュール内部の局部発振信号生成回路の局部発振周波数設定を切り替え、それに基づいた局部発振信号（ＬＯ（Local Oscillator）信号）を混合回路に入力する。混合回路では高周波信号と局部発振信信号を乗算することにより、中間周波数（ＩＦ：Intermediate Frequency）またはベースバンド周波数（ＢＢ：BaseBand）の低周波信号にダウンコンバートする。そして、その出力を、中間周波数帯域またはベースバンド周波数帯域の比較的低い周波帯のフィルタにおいてチャンネル選択を行い、これにより不要チャンネル信号を減衰させ、所望の受信チャンネル信号の選択を実現している（例えば、特許文献１参照。）。
【先行技術文献】
【特許文献】
【０００４】
【特許文献１】特開２０１３−２３６１９６号公報
【発明の概要】
【発明が解決しようとする課題】
【０００５】
上述の従来技術では、高周波回路および混合回路に対しては、所望の受信チャンネル信号以外の、不要信号となる多チャンネルの信号も合わせて入力される。このため、これら回路群の入出力の非線形性により、所望信号の信号品質の劣化が生じてしまう。具体的には、多数の不要信号が入力されることにより、相互変調、混変調、高調波等の発生により所望信号の品質が劣化してしまう。【０００６】
上述のチャンネル数の増加に伴い、不要チャンネル信号の数が増えることになるため、受信装置において従来同様またはそれ以上の受信性能を得るためには、高周波回路および混合回路に対する線形性の要求が厳しくなる。高周波回路や混合回路の線形性の改善には、電源電圧の増加や回路電流の増加による対策が一般的である。すなわち、チャンネル数の増加に対して、低消費電力を保ちながら従来と同等の受信性能を得るのは非常に困難である。【０００７】
また、上述の入力周波数帯域の拡張は、単純に入力周波数範囲が広がることになるため、高周波回路、混合回路、ＬＯ生成回路においては、信号増幅、乗算、局部発振信号生成などを行う動作周波数範囲が広くなってしまう。一般に動作周波数の高い、高周波回路、混合回路、局部発振信号生成回路において、動作周波数の広帯域化への対応は、消費電力が増加してしまう懸念を併せ持っている。【０００８】
このように、従来技術においては、低消費電力を保ちながら受信性能の劣化を抑えることは困難であるという大きな課題がある。本技術はこのような状況に鑑みて生み出されたものであり、受信装置において、チャンネル数の増加に対して、消費電力の増大を防ぎつつ、受信性能の劣化を防止することを目的とする。
【課題を解決するための手段】
【０００９】
本技術は、上述の問題点を解消するためになされたものであり、その第１の側面は、１つのアンテナからの高周波信号を別々に受ける複数の入力端子と、上記複数の入力端子の各々に対応して設けられて上記１つのアンテナからの高周波信号を互いに異なる周波数帯域において扱う複数の高周波回路と、上記複数の高周波回路の各々の上記周波数帯域に対応した局部発振周波数を生成する局部発振信号生成回路と、上記複数の高周波回路の各々からの上記高周波信号とそれに対応する上記局部発振周波数とを混合してそれぞれ低周波信号を生成する複数の混合回路と、上記複数の混合回路において生成された低周波信号を合流させて出力する合流回路とを具備する受信装置およびその受信装置を含む受信システムである。これにより、高周波回路および混合回路をそれぞれの周波数帯域ごとに設けるという作用をもたらす。【００１０】
また、この第１の側面において、周波数帯域の指示入力を受けて上記複数の高周波回路および上記複数の混合回路のうち上記指示入力に係る周波数帯域に適合するもののみを動作させる制御部をさらに具備してもよい。これにより、不要な周波数帯域の高周波回路および混合回路の動作を抑制するという作用をもたらす。【００１１】
また、この第１の側面において、上記複数の入力端子は、それぞれの周波数帯域に応じたフィルタ処理が施された上記高周波信号を受けるようにしてもよい。これにより、不要な周波数帯域の高周波信号の受信装置への入力を抑制するという作用をもたらす。【００１２】
また、この第１の側面において、上記複数の高周波回路は、テレビ放送の高周波信号を扱うようにしてもよい。また、上記複数の高周波回路は、衛星放送の高周波信号を扱うようにしてもよい。また、地上波放送を受信する他のアンテナからの高周波信号を受ける他の入力端子と、上記他の入力端子からの周波数帯域において上記他のアンテナからの地上波放送の高周波信号を扱う他の高周波回路とをさらに具備し、上記複数の混合回路の一つは、上記他の高周波回路からの高周波信号をさらに混合して低周波信号を生成するようにしてもよい。
【発明の効果】
【００１３】
本技術によれば、受信装置において、チャンネル数の増加に対して、消費電力の増大を防ぎつつ、受信性能の劣化を防止することができるという優れた効果を奏し得る。なお、ここに記載された効果は必ずしも限定されるものではなく、本開示中に記載されたいずれかの効果であってもよい。
【図面の簡単な説明】
【００１４】
【図１】本技術の第１の実施の形態における受信システムの構成例を示す図である。
【図２】本技術の第１の実施の形態における第１フィルタ２１０および第２フィルタ２２０によるフィルタリング処理の一例を示す図である。
【図３】本技術の実施の形態における受信装置の動作制御の一例を示す図である。
【図４】本技術の実施の形態における第１混合回路３５０、第２混合回路３６０および合流回路３７０の回路構成例を示す図である。
【図５】本技術の第２の実施の形態における受信システムの構成例を示す図である。
【発明を実施するための形態】
【００１５】
以下、本技術を実施するための形態（以下、実施の形態と称する）について説明する。説明は以下の順序により行う。
１．第１の実施の形態（衛星放送を受信する１つのアンテナからの高周波信号を複数の高周波回路により処理する例）
２．第２の実施の形態（地上波放送を受信する他のアンテナからの高周波信号を他の高周波回路により処理する例）
３．変形例
【００１６】
＜１．第１の実施の形態＞
［受信システムの構成］
図１は、本技術の第１の実施の形態における受信システムの構成例を示す図である。この第１の実施の形態における受信システムは、テレビ放送を受信する装置であり、アンテナ１００と、第１フィルタ２１０および第２フィルタ２２０と、受信装置３００とを備える。
【００１７】
アンテナ１００は、衛星放送を受信するためのアンテナである。このアンテナ１００によって受信された受信信号（高周波信号）は、第１フィルタ２１０および第２フィルタ２２０に供給される。
【００１８】
第１フィルタ２１０および第２フィルタ２２０は、アンテナ１００から供給された高周波信号について、必要な信号を通過させ、不要な信号を減衰させるフィルタである。この例では、第１フィルタ２１０は、高周波信号のうち比較的高い周波数帯域の信号を通過させ、比較的低い周波数帯域の信号を減衰させている。一方、第２フィルタ２２０は、高周波信号のうち比較的低い周波数帯域の信号を通過させ、比較的高い周波数帯域の信号を減衰させている。これにより、受信装置３００において必要な信号のみを供給することができる。すなわち、チャンネル数の増加により周波数帯域が広がった場合において、受信信号の周波数帯域を分割して受信装置３００に入力することができる。これにより、受信装置３００に要求される線形性を緩和することができる。
【００１９】
これら第１フィルタ２１０および第２フィルタ２２０は、例えば、分波器（ダイプレクサ：Diplexer）等により実現することができる。図２は、本技術の第１の実施の形態における第１フィルタ２１０および第２フィルタ２２０によるフィルタリング処理の一例を示す図である。アンテナ１００の出力に対して、第１フィルタ２１０は、高い周波数帯域の信号を通過させ、低い周波数帯域の信号を減衰させていることがわかる。また、第２フィルタ２２０は、低い周波数帯域の信号を通過させ、高い周波数帯域の信号を減衰させていることがわかる。なお、第１フィルタ２１０および第２フィルタ２２０は、特許請求の範囲に記載の複数のフィルタの一例である。
【００２０】
受信装置３００は、アンテナ１００から第１フィルタ２１０および第２フィルタ２２０を介して高周波信号を受けて、低周波信号にダウンコンバートする処理を行うものである。この受信装置３００は、第１高周波回路３１０と、第２高周波回路３２０と、局部発振信号生成回路３４０と、第１混合回路３５０と、第２混合回路３６０と、合流回路３７０と、制御部３８０と、低周波回路３９０とを備える。
【００２１】
また、この受信装置３００は、入力端子３０１、３０２および３０８を備え、出力端子３０９を備える。入力端子３０１には第１フィルタ２１０の出力が供給される。入力端子３０２には第２フィルタ２２０の出力が供給される。入力端子３０８には受信装置３００を制御するための信号が供給される。例えば、この入力端子３０８には受信チャンネルの指示操作が入力される。出力端子３０９は、この受信装置３００の出力として、指示操作入力により指示された受信チャンネルの低周波信号を出力する。なお、入力端子３０１および３０２は、特許請求の範囲に記載の複数の入力端子の一例である。
【００２２】
第１高周波回路３１０は、第１フィルタ２１０から供給された比較的高い周波数帯域の高周波信号を扱う回路である。この第１高周波回路３１０は、低雑音増幅器（ＬＮＡ：Low Noise Amplifier）３１１と、可変利得増幅器（ＶＧＡ：Variable Gain Amplifier）３１２と、バンドパスフィルタ（ＢＰＦ）３１３とを備える。低雑音増幅器３１１は、入力端子３０１に供給された受信信号を増幅するアンプである。可変利得増幅器３１２は、利得を制御するためのアンプである。バンドパスフィルタ３１３は、周波数帯域を制限するためのフィルタである。このバンドパスフィルタ３１３を通過する周波数帯域は、第１高周波回路３１０が扱う比較的高い周波数帯域である。
【００２３】
第２高周波回路３２０は、第２フィルタ２２０から供給された比較的低い周波数帯域の高周波信号を扱う回路である。この第２高周波回路３２０は、第１高周波回路３１０と同様に、低雑音増幅器３２１と、可変利得増幅器３２２と、バンドパスフィルタ３２３とを備える。低雑音増幅器３２１は、入力端子３０２に供給された受信信号を増幅するアンプである。可変利得増幅器３２２は、利得を制御するためのアンプである。バンドパスフィルタ３２３は、周波数帯域を制限するためのフィルタである。このバンドパスフィルタ３２３を通過する周波数帯域は、第２高周波回路３２０が扱う比較的低い周波数帯域であり、バンドパスフィルタ３１３の周波数帯域とは異なる。なお、第１高周波回路３１０および第２高周波回路３２０は、特許請求の範囲に記載の複数の高周波回路の一例である。
【００２４】
局部発振信号生成回路３４０は、局部発振信号を生成する回路である。この局部発振信号生成回路３４０は、位相同期回路（ＰＬＬ：Phase Locked Loop）３４１と、バッファ３４５および３４６とを備える。位相同期回路３４１は、一定の周波数に同期した交流信号を出力する回路である。バッファ３４５および３４６は、位相同期回路３４１の出力を局部発振信号として出力する回路である。この局部発振信号生成回路３４０によって生成された局部発振信号は、第１混合回路３５０および第２混合回路３６０に供給される。
【００２５】
第１混合回路３５０は、第１高周波回路３１０から出力された比較的高い周波数帯域の高周波信号と局部発振信号生成回路３４０から供給された局部発振信号とを混合して、低周波信号を生成する回路である。
【００２６】
第２混合回路３６０は、第２高周波回路３２０から出力された比較的低い周波数帯域の高周波信号と局部発振信号生成回路３４０から供給された局部発振信号とを混合して、低周波信号を生成する回路である。なお、第１混合回路３５０および第２混合回路３６０は、特許請求の範囲に記載の複数の混合回路の一例である。
【００２７】
合流回路３７０は、第１混合回路３５０および第２混合回路３６０によって生成された低周波信号を合流させて、何れか一方からの低周波信号を出力する回路である。
【００２８】
制御部３８０は、受信装置３００の各部を制御するものである。この制御部３８０は、例えば、受信チャンネルの指示入力に従って、周波数帯域に適合する回路のみを動作させる。すなわち、受信チャンネルが比較的高い周波数帯域のものであれば、第１高周波回路３１０および第１混合回路３５０を動作させる一方で、第２高周波回路３２０および第２混合回路３６０を動作させない、という制御を行う。また、受信チャンネルが比較的低い周波数帯域のものであれば、第２高周波回路３２０および第２混合回路３６０を動作させる一方で、第１高周波回路３１０および第１混合回路３５０を動作させない、という制御を行う。
【００２９】
低周波回路３９０は、合流回路３７０から出力された低周波信号を扱う回路であり、ローパスフィルタ（ＬＰＦ）３９１と、可変利得増幅器３９２とを備える。ローパスフィルタ３９１は、周波数帯域を制限するためのフィルタである。このローパスフィルタ３９１を通過する周波数帯域は、低周波信号の周波数帯域であり、バンドパスフィルタ３１３および３２３の周波数帯域とは異なる。なお、低周波回路３９０に適した周波数帯域に対応するものであれば、ローパスフィルタ３９１に代えてバンドパスフィルタを利用するようにしてもよい。可変利得増幅器３９２は、利得を制御するためのアンプである。
【００３０】
［受信装置の動作制御］
図３は、本技術の実施の形態における受信装置の動作制御の一例を示す図である。上述のように、制御部３８０は、受信チャンネルの指示入力に従って、周波数帯域に適合する回路のみを動作させる制御を行う。そのために、制御部３８０は、受信チャンネルが比較的高い周波数帯域のものであれば、イネーブル信号ＥＮＡ１乃至ＥＮＡ５をアサートして、イネーブル信号ＥＮＢ１乃至ＥＮＢ５をアサートしない（デアサートする）。また、制御部３８０は、受信チャンネルが比較的低い周波数帯域のものであれば、イネーブル信号ＥＮＢ１乃至ＥＮＢ５をアサートして、イネーブル信号ＥＮＡ１乃至ＥＮＡ５をアサートしない（デアサートする）。
【００３１】
これらイネーブル信号ＥＮＡ１乃至ＥＮＡ５およびＥＮＢ１乃至ＥＮＢ５は、第１高周波回路３１０、第２高周波回路３２０、第１混合回路３５０、第２混合回路３６０および局部発振信号生成回路３４０に分配される。すなわち、イネーブル信号ＥＮＡ１はバッファ３４５に供給される。イネーブル信号ＥＮＡ２は第１混合回路３５０に供給される。イネーブル信号ＥＮＡ３はバンドパスフィルタ３１３に供給される。イネーブル信号ＥＮＡ４は可変利得増幅器３１２に供給される。イネーブル信号ＥＮＡ５は低雑音増幅器３１１に供給される。イネーブル信号ＥＮＢ１はバッファ３４６に供給される。イネーブル信号ＥＮＢ２は第２混合回路３６０に供給される。イネーブル信号ＥＮＢ３はバンドパスフィルタ３２３に供給される。イネーブル信号ＥＮＢ４は可変利得増幅器３２２に供給される。イネーブル信号ＥＮＢ５は低雑音増幅器３２１に供給される。
【００３２】
これにより、受信チャンネルが比較的高い周波数帯域のものであれば、その周波数帯域に適合する第１高周波回路３１０および第１混合回路３５０が動作し、他の第２高周波回路３２０および第２混合回路３６０が動作しないように制御される。一方、受信チャンネルが比較的低い周波数帯域のものであれば、その周波数帯域に適合する第２高周波回路３２０および第２混合回路３６０が動作し、他の第１高周波回路３１０および第１混合回路３５０が動作しないように制御される。したがって、受信チャンネルの周波数帯域に応じて不要な回路の動作を抑制することができ、省電力化を図ることができる。
【００３３】
なお、この例では、受信チャンネルが比較的高い周波数帯域のものである場合には、イネーブル信号ＥＮＢ１乃至ＥＮＢ５の全てをデアサートすることを想定したが、少なくとも１つをデアサートすることにより一定の省電力効果は得られる。同様に、受信チャンネルが比較的低い周波数帯域のものである場合に、イネーブル信号ＥＮＡ１乃至ＥＮＡ５の少なくとも１つをデアサートするようにしてもよい。
【００３４】
図４は、本技術の実施の形態における第１混合回路３５０、第２混合回路３６０および合流回路３７０の回路構成例を示す図である。この例では、回路の各部が差動信号により動作することを想定する。
【００３５】
第１混合回路３５０は、２つのトランスコンダクタンスアンプ３５１および３５２と、４つのスイッチトランジスタ３５３乃至３５６とを備える。トランスコンダクタンスアンプ３５１および３５２は、第１高周波回路３１０から出力された高周波信号の電圧に応じた電流値を有する信号を出力するものである。このトランスコンダクタンスアンプ３５１および３５２には、イネーブル信号ＥＮＡ２が供給される。スイッチトランジスタ３５３乃至３５６は、トランスコンダクタンスアンプ３５１および３５２から出力された信号を、バッファ３４５からの局部発振信号に応じてスイッチングする回路である。
【００３６】
第２混合回路３６０は、第１混合回路３５０と同様に、２つのトランスコンダクタンスアンプ３６１および３６２と、４つのスイッチトランジスタ３６３乃至３６６とを備える。トランスコンダクタンスアンプ３６１および３６２は、第２高周波回路３２０から出力された高周波信号の電圧に応じた電流値を有する信号を出力するものである。このトランスコンダクタンスアンプ３６１および３６２には、イネーブル信号ＥＮＢ２が供給される。スイッチトランジスタ３６３乃至３６６は、トランスコンダクタンスアンプ３６１および３６２から出力された信号を、バッファ３４６からの局部発振信号に応じてスイッチングする回路である。
【００３７】
合流回路３７０は、オペアンプ３７１と、フィードバック抵抗３７２および３７３とを備える。これらは中間周波数またはベースバンド周波数の低周波帯域により動作し、第１混合回路３５０および第２混合回路３６０からの信号の電流に応じた電圧値を有する信号を出力する。
【００３８】
この回路構成例においては、受信チャンネルが比較的高い周波数帯域のものである場合には、バッファ３４５、トランスコンダクタンスアンプ３５１および３５２が動作し、バッファ３４６、トランスコンダクタンスアンプ３６１および３６２は動作しない。一方、受信チャンネルが比較的低い周波数帯域のものである場合には、バッファ３４６、トランスコンダクタンスアンプ３６１および３６２が動作し、バッファ３４５、トランスコンダクタンスアンプ３５１および３５２は動作しない。
【００３９】
このように、本技術の第１の実施の形態によれば、衛星放送の受信チャンネルの周波数帯域ごとに高周波回路および混合回路を設けることにより、回路の線形性の要求を緩和することができる。また、衛星放送の受信チャンネルの周波数帯域に応じて必要な回路のみを動作させることにより、省電力化を図ることができる。
【００４０】
＜２．第２の実施の形態＞
上述の第１の実施の形態では、衛星放送を受信することを想定したが、以下に説明する第２の実施の形態では、受信装置３００においてさらに地上波放送を受信することを想定する。
【００４１】
［受信システムの構成］
図５は、本技術の第２の実施の形態における受信システムの構成例を示す図である。この第２の実施の形態における受信システムは、第１の実施の形態の構成に加えて、地上波アンテナ１０３を備える。また、受信装置３００は、入力端子３０３をさらに備えて、地上波アンテナ１０３からの地上波放送の受信信号（高周波信号）を受ける。なお、入力端子３０３は、特許請求の範囲に記載の他の入力端子の一例である。
【００４２】
また、受信装置３００は、第３高周波回路３３０をさらに備える。この第３高周波回路３３０の出力は第２混合回路３６０に供給される。第２混合回路３６０の前段には切替回路３６９が設けられ、第２高周波回路３２０または第３高周波回路３３０の何れか一方の出力が第２混合回路３６０に供給される。第２混合回路３６０は、第１高周波回路３１０から出力された比較的高い周波数帯域の高周波信号または第３高周波回路３３０から出力された地上波放送の高周波信号の何れかに、局部発振信号生成回路３４０から供給された局部発振信号を混合して、低周波信号を生成する。それ以外の構成については、上述の第１の実施の形態のものと同様である。なお、第３高周波回路３３０は、特許請求の範囲に記載の他の高周波回路の一例である。
【００４３】
また、この第２の実施の形態における第３高周波回路３３０についても、第１の実施の形態と同様に、制御部３８０によるイネーブル信号を用いて、動作の有無を制御してもよい。これにより、衛星放送および地上波放送の受信チャンネルの周波数帯域に応じて必要な回路のみを動作させることができ、省電力化を図ることができる。
【００４４】
この第２の実施の形態によれば、衛星放送の受信チャンネルの周波数帯域ごとに高周波回路を設けるとともに、地上波放送の周波数帯域のための高周波回路を設けることにより、さらに地上波放送を受信することができる。高周波回路はそれぞれの周波数帯域に適合させることができるため、受信特性を改善することができる。
【００４５】
＜３．変形例＞
上述の実施の形態では、位相同期回路３４１を周波数帯域によらずに共通なものとして設けていたが、これは周波数帯域ごとに設けてもよい。これにより、周波数帯域ごとに最適化した回路構成を採用することができる。
【００４６】
このように、本技術の実施の形態によれば、受信チャンネルの周波数帯域ごとに高周波回路および混合回路を設けることにより、回路の線形性の要求を緩和することができる。また、受信チャンネルの周波数帯域に応じて必要な回路のみを動作させることにより、省電力化を図ることができる。また、受信装置の外部において周波数信号帯域の選択フィルタを実装することができ、高周波回路に対する線形性の要求を緩和することが可能となる。これにより、消費電力増加を抑えながら、ＮＦ（雑音指数）特性などを改善し、受信性能を向上させることが可能となる。
【００４７】
また、受信装置における各回路の動作周波数範囲を狭めることができ、消費電力の削減や特性の改善が可能となる。また、受信チャンネル以外の周波数帯域の回路群を動作させないように制御することにより、省電力化を図ることができる。また、これにより不要な信号を遮断することができ、それぞれの周波数帯域の入力信号間の干渉を抑えることができる。
【００４８】
すなわち、本技術の実施の形態によれば、４Ｋ放送や８Ｋ放送に必要なチャンネル数の増加に対して、消費電力の増大を防ぎつつ、受信性能を劣化させることなく受信可能な受信装置を提供することができる。
【００４９】
なお、上述の実施の形態は本技術を具現化するための一例を示したものであり、実施の形態における事項と、特許請求の範囲における発明特定事項とはそれぞれ対応関係を有する。同様に、特許請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【００５０】
なお、本明細書に記載された効果はあくまで例示であって、限定されるものではなく、また、他の効果があってもよい。
【００５１】
なお、本技術は以下のような構成もとることができる。
（１）１つのアンテナからの高周波信号を別々に受ける複数の入力端子と、
前記複数の入力端子の各々に対応して設けられて前記１つのアンテナからの高周波信号を互いに異なる周波数帯域において扱う複数の高周波回路と、
前記複数の高周波回路の各々の前記周波数帯域に対応した局部発振周波数を生成する局部発振信号生成回路と、
前記複数の高周波回路の各々からの前記高周波信号とそれに対応する前記局部発振周波数とを混合してそれぞれ低周波信号を生成する複数の混合回路と、
前記複数の混合回路において生成された低周波信号を合流させて出力する合流回路と
を具備する受信装置。
（２）周波数帯域の指示入力を受けて前記複数の高周波回路および前記複数の混合回路のうち前記指示入力に係る周波数帯域に適合するもののみを動作させる制御部をさらに具備する前記（１）に記載の受信装置。
（３）前記複数の入力端子は、それぞれの周波数帯域に応じたフィルタ処理が施された前記高周波信号を受ける前記（１）または（２）に記載の受信装置。
（４）前記複数の高周波回路は、テレビ放送の高周波信号を扱う前記（１）から（３）のいずれかに記載の受信装置。
（５）前記複数の高周波回路は、衛星放送の高周波信号を扱う前記（１）から（４）のいずれかに記載の受信装置。
（６）地上波放送を受信する他のアンテナからの高周波信号を受ける他の入力端子と、
前記他の入力端子からの周波数帯域において前記他のアンテナからの地上波放送の高周波信号を扱う他の高周波回路とをさらに具備し、
前記複数の混合回路の一つは、前記他の高周波回路からの高周波信号をさらに混合して低周波信号を生成する
前記（５）に記載の受信装置。
（７）１つのアンテナと、
前記１つのアンテナからの高周波信号を互いに異なる周波数帯域において扱う複数の高周波回路と、
前記複数の高周波回路の各々の前記周波数帯域に対応した局部発振周波数を生成する局部発振信号生成回路と、
前記複数の高周波回路の各々からの前記高周波信号とそれに対応する前記局部発振周波数とを混合してそれぞれ低周波信号を生成する複数の混合回路と、
前記複数の混合回路において生成された低周波信号を合流させて出力する合流回路と
を具備する受信システム。
（８）周波数帯域の指示入力を受けて前記複数の高周波回路および前記複数の混合回路のうち前記指示入力に係る周波数帯域に適合するもののみを動作させる制御部をさらに具備する前記（７）に記載の受信システム。
（９）前記１つのアンテナからの高周波信号に対してそれぞれの周波数帯域に応じたフィルタ処理を施す複数のフィルタをさらに具備し、
前記複数の高周波回路の各々は、前記複数のフィルタの出力を前記１つのアンテナからの高周波信号として扱う
前記（７）または（８）に記載の受信システム。
（１０）前記複数の高周波回路は、テレビ放送の高周波信号を扱う前記（７）から（９）のいずれかに記載の受信システム。
（１１）前記１つのアンテナは、衛星放送を受信するためのアンテナであり、
前記複数の高周波回路は、衛星放送の異なる周波数帯域の高周波信号を扱う
前記（７）から（１０）のいずれかに記載の受信システム。
（１２）地上波放送を受信するための他のアンテナと、
前記他のアンテナからの地上波放送の高周波信号を扱う他の高周波回路とをさらに具備し、
前記複数の混合回路の一つは、前記他の高周波回路からの高周波信号をさらに混合して低周波信号を生成する
前記（１１）に記載の受信システム。
【符号の説明】
【００５２】
１００  アンテナ
１０３  地上波アンテナ
２１０  第１フィルタ
２２０  第２フィルタ
３００  受信装置
３０１、３０２、３０３、３０８  入力端子
３０９  出力端子
３１０  第１高周波回路
３１１、３２１、３３１  低雑音増幅器（ＬＮＡ）
３１２、３２２、３３２  可変利得増幅器（ＲＦ−ＶＧＡ）
３１３、３２３、３３３  バンドパスフィルタ（ＲＦ−ＢＰＦ）
３２０  第２高周波回路
３３０  第３高周波回路
３４０  局部発振信号生成回路
３４１  位相同期回路（ＰＬＬ）
３４５、３４６  バッファ
３５０  第１混合回路
３５１、３５２、３６１、３６２  トランスコンダクタンスアンプ
３５３〜３５６、３６３〜３６６  スイッチトランジスタ
３６０  第２混合回路
３７０  合流回路
３７１  オペアンプ
３７２、３７３  フィードバック抵抗
３８０  制御部
３９０  低周波回路
３９１  ローパスフィルタ（ＢＢ−ＬＰＦ）
３９２  可変利得増幅器（ＢＢ−ＶＧＡ）
【図１】
2018037687.tif 000003
【図２】
2018037687.tif 000004
【図３】
2018037687.tif 000005
【図４】
2018037687.tif 000006
【図５】
2018037687.tif 000007
【国際調査報告】
2018037687.tif 000008
2018037687.tif 000009